(57)【要約】 【課題】 除湿空気環流システムと、空調システムとにより大空間鏡面のくもり、結露等を防止して被観賞体のオブジェクトをはっきりと観賞できる。【解決手段】  建物１内に配置され、採光、照明或いは映写によりオブジェクトを表すため或いはオブジェクトを写すための鏡面を有する被観賞体４と、前記被観賞体を観賞する観賞者スペース６を備えたオブジェクト観賞構造物の鏡面くもり防止システムで、鏡面くもり防止システムは、除湿機１４を備え、かつ、該除湿機の除湿空気を前記被観賞体内に吹き出して鏡面に沿って上昇させ上方で被観賞体の背面空間に環流させる除湿空気環流システム１５と、観賞者スペース用空調装置１６を備え、かつ、該空調装置により観賞者スペース内の温度と湿度の制御および内部を正圧への保持を行う空調システム１７とを備えたものである。【選択図】    図 １
2006317051.tif 000002
【特許請求の範囲】
【請求項１】
建物内に配置され、採光、照明或いは映写によりオブジェクトを表すため或いはオブジェクトを写すための鏡面を有する被観賞体と、該被観賞体の下部に前記被観賞体を観賞する観賞者スペースを備えたオブジェクト観賞構造物のための鏡面くもり防止システムであって、
該鏡面くもり防止システムは、除湿機を備え、かつ、該除湿機の除湿空気を前記被観賞体内に吹き出して鏡面に沿って上昇させ上方で被観賞体の背面空間に環流させる除湿空気環流システムと、観賞者スペース用空調装置を備え、かつ、該空調装置により観賞者スペース内の温度と湿度の制御および内部を正圧への保持を行う空調システムとを備えることを特徴とするオブジェクト観賞構造物の鏡面くもり防止システム。
【請求項２】
前記オブジェクト観賞構造物の鏡面くもり防止システムは、前記被観賞体の上部もしくは頂部に設けられた上方開口、前記被観賞体の下部および中間部の１又は複数箇所に設けられた側部開口を有するオブジェクト観賞構造物に用いられるものであり、
前記除湿空気環流システムは、前記側部開口より除湿空気を吹出し、該吹き出された空気を前記上方開口を通じて被観賞体の背面空間に環流させるものである請求項１に記載のオブジェクト観賞構造物の鏡面くもり防止システム。
【請求項３】
前記除湿機および前記空調装置は、前記建物と前記被観賞体間のスペースに配置されており、前記オブジェクト観賞構造物の鏡面くもり防止システムは、前記建物と前記被観賞体間のスペースを冷却するための冷却装置を備えている請求項１または２に記載のオブジェクト観賞構造物の鏡面くもり防止システム。
【請求項４】
前記オブジェクト観賞構造物は、前記オブジェクトのための採光手段、照明手段或いは駆動手段を備えるものである、前記オブジェクト観賞構造物の鏡面くもり防止システムは、前記採光手段、照明手段或いは駆動手段より発生する熱を取り除く空調装置、空調システムを備えている請求項１ないし３のいずれかに記載のオブジェクト観賞構造物の鏡面くもり防止システム。
【発明の詳細な説明】
【技術分野】
【０００１】
この発明は万華鏡等オブジェクト観賞構造物においてオブジェクトを表すため或いは写すための鏡面のくもりを防止するオブジェクト観賞構造物の鏡面くもり防止システムに関する。
【背景技術】
【０００２】
従来、万華鏡として、筒体の一端に採光窓兼観賞窓を設け、対物窓に配置した物のミラーに反射して写し出された反射像を観賞窓から複数人で同時に観賞できるもの（特許文献１参照）、或いは、筒状体にミラーシステムを内設し、筒状体の前端に密閉容器を備え、密閉容器内に多数のオブジェクトを配設したもの（特許文献２参照）が提案されている。
【０００３】
【特許文献１】特開平７−２８１１２５号公報
【特許文献２】特開２００４ー３６１７３０号公報
【発明の開示】
【発明が解決しようとする課題】
【０００４】
上記した従来の万華鏡で、空調システムを備えて大勢の観賞者の観賞、出入りで鏡面がくもり、結露を生ずるのを防止するものはない。建物に大空間を有する万華鏡を備える場合に建物の上下の温度、湿度の差、観賞者スペースの大勢の観賞者による温度、湿度の上昇などで被観賞体の鏡面がくもり、或いは室内の空気条件が露点に達すると被観賞体等に結露を生じて鏡面に写される像がはっきっりと見えなくなるという問題がある。
【０００５】
この発明は前記した問題点を解決するようにしたもので、除湿機の除湿空気を被観賞体の内外に環流させる除湿空気環流システムと、空調装置による空調システムで観賞者スペースの温度、湿度を制御し、内部を正圧に保持して万華鏡等の大空間鏡面のくもり、結露等を防止できるオブジェクト観賞構造物の鏡面くもり防止システムを提供することを目的とする。
【課題を解決するための手段】
【０００６】
この発明の請求項１のオブジェクト観賞構造物における鏡面くもり防止システムは、建物内に配置され、採光、照明或いは映写によりオブジェクトを表すため或いはオブジェクトを写すための鏡面を有する被観賞体と、該被観賞体の下部に前記被観賞体を観賞する観賞者スペースを備えたオブジェクト観賞構造物のための鏡面くもり防止システムであって、
該鏡面くもり防止システムは、除湿機を備え、かつ、該除湿機の除湿空気を前記被観賞体内に吹き出して鏡面に沿って上昇させ上方で被観賞体の背面空間に環流させる除湿空気環流システムと、観賞者スペース用空調装置を備え、かつ、該空調装置により観賞者スペース内の温度と湿度の制御および内部を正圧への保持を行う空調システムとを備えることを特徴とする。
【０００７】
請求項２の発明は、前記オブジェクト観賞構造物の鏡面くもり防止システムは、前記被観賞体の上部もしくは頂部に設けられた上方開口、前記被観賞体の下部および中間部の１又は複数箇所に設けられた側部開口を有するオブジェクト観賞構造物に用いられるものであり、
前記除湿空気環流システムは、前記側部開口より除湿空気を吹出し、該吹き出された空気を前記上方開口を通じて被観賞体の背面空間に環流させるものである。
【０００８】
請求項３の発明は、前記除湿機および前記空調装置は、前記建物と前記被観賞体間のスペースに配置されており、前記オブジェクト観賞構造物の鏡面くもり防止システムは、前記建物と前記被観賞体間のスペースを冷却するための冷却装置を備えている。
【０００９】
請求項４の発明は、前記オブジェクト観賞構造物は、前記オブジェクトのための採光手段、照明手段或いは駆動手段を備えるものである、前記オブジェクト観賞構造物の鏡面くもり防止システムは、前記採光手段、照明手段或いは駆動手段より発生する熱を取り除く空調装置、空調システムを備えている。
【発明の効果】
【００１０】
この発明によれば、オブジェクト観賞構造物において、除湿機による除湿空気環流システムで除湿空気を被観賞体の内側から外側に環流させ、空調装置による空調システムで観賞者スペースの温度と湿度の制御と、内部を正圧に保持することで被観賞体の鏡面のくもり、結露等を防止して観賞者は鏡面の美しいオブジェクトをはっきりと観賞することができる。この発明のくもり防止システムを導入することにより、年間を通し多量の人員導入など入場人員の変化があっても機能を発揮できる。
【００１１】
この発明によれば、被観賞体の上部もしくは頂部に設けられた上方開口、前記被観賞体の下部および中間部の１又は複数箇所に設けられた側部開口を有するオブジェクト観賞構造物の場合に、除湿空気環流システムとして、前記側部開口より除湿空気を吹出し、該吹き出された空気を前記上方開口を通じて被観賞体の背面空間に環流させるので、被観賞体の鏡面のくもり、結露等を防止できる。
【００１２】
この発明によれば、前記除湿機および前記空調装置は、前記建物と前記被観賞体間のスペースに配置され、前記オブジェクト観賞構造物の鏡面くもり防止システムは、前記建物と前記被観賞体間のスペースを冷却するための冷却装置を備えているので、冷却装置で除湿機等より発生する熱を冷却し、建物と前記被観賞体間のスペースで発生する熱を取り除いて温度上昇を抑えて観賞者スペース等との温度差を少なくし、前記除湿機による除湿空気の環流、空調装置による空調システムと相俟って鏡面のくもりや結露を生じないようにできる。
【００１３】
この発明によれば、前記オブジェクト観賞構造物が前記オブジェクトのための採光手段、照明手段或いは駆動手段を備えるものであって、オブジェクト観賞構造物の鏡面くもり防止システムは、前記採光手段、照明手段或いは駆動手段より発生する熱を取り除く空調装置、空調システムを備えているので、空調装置、空調システムで建物内で採光手段、照明手段或いは駆動手段より発生する熱を取り除いて建物内の上部の温度上昇を抑えて観賞者スペース等との温度差を少なくし、被観賞体の上下の温度差を小さくし、前記空調システムによる観賞者スペースを正圧に保持して室内で急激な上昇気流が生ずることを防止でき、前記除湿システムによる除湿空気の環流と相俟って鏡面のくもりや結露を生じないようにできる。
【発明を実施するための最良の形態】
【００１４】
この発明の実施形態を図面に基づいて説明する。
図１はこの発明の鏡面くもり防止システムを備えたオブジェクト観賞構造物の概略断面図、図２は図１のＸ−Ｘ線断面図である。
【００１５】
図１および図２において、この発明のオブジェクト観賞構造物が大型の万華鏡を有する場合で説明する。
１は高さを高くし、周囲を壁面とし、天井に採光を取り入れるガラス板、合成樹脂製透明板等透光板２を設けて内部空間を暗くした建物であり、該建物１内の上部に万華鏡のオブジェクトＡを収容した器体３を配置し、その下方に縦方向に長尺の筒状とし、内面を前記採光により前記器体３のオブジェクトＡの像を写す鏡面を有する被観賞体（鏡面体）４を設置して建物内に大空間５を有する大型の万華鏡を構成し、該被観賞体４の下方の中央には器体３のオブジェクトと鏡面に映した像を観賞する観賞者スペース６と、該観賞者スペース６の外周には観賞者の待合通路７とを構成してある。
建物１は、実施例では高さが約４０ｍ〜５０ｍとした塔状で、かつ上部を裁頭した三角錐状外壁で、上面に採光を取り入れる透光板２を設け、外壁下部に観賞者の出入り口８、待合通路７と観賞者スペース６との間の適所に観賞者の出入り口９が設けられ、建物１の内部に高さが約３０ｍ〜３５ｍで大空間５を有する裁頭した三角錐状の被観賞体４が周囲に外側スペース１０を存して設置されている。
前記建物の形状は三角錐状に限るものでなく、四角形等適宜形状とすることは自由である。
建物１内の上部に設置するオブジェクトＡを収容する器体３は、内部に前記多数のオブジェクトのみを配設した密閉器体、オブジェクトをオイル等の液体と共に封入したオイルタイプとした密閉容器等とする。密閉器体は１又は複数設置する。そして、オブジェクト収容器体３は、被観賞体４の上部開口の中央に固定し、或いは駆動装置で回動可能に備える。さらには収容器体を上下に移動可能に備えることもできる。万華鏡のオブジェクトＡは、例えば、ガラス、紙、宝石、合成樹脂等の小片を用いる。
前記三角錐状の被観賞体４は大型のために複数の鏡面で構成される。その被観賞体４は、例えば、被観賞体を構成する枠体の表面にアルミ箔を接着するか、アルミ薄板等を取り付けて上部の器体３のオブジェクトＡの反射像を写す構造とし、観賞者が上部のオブジェクトと被観賞体に写されるオブジェクトの像を一体的として観賞できるようにしてある。該被観賞体４は、三角錐状に限るものでなく、多角形状、球状などとできる。また、被観賞体４は、アルミ箔、アルミ薄板に限るものでなく、くもりを嫌うガラス面、金属面などの鏡面を有する器体とすることもできる。なお、図では建物と内部の被観賞体を相似する形態としてあるが、これに限られるものでなく、建物、被観賞体とも適宜形状とすることができる。
前記観賞者スペース６は、前記大空間５につながっている下部の高さ約３〜５ｍのゾーンで、一度に大勢の観賞者、例えば１００人〜３００人が入ることができる広さとしてある。観賞者スペース６の外周の待合通路７は出入口が設けられ、待合通路には前記外側スペース１０と区画する天井１１が設けられている。待合通路７、外側スペース１０はほぼ一定の幅としてあるが、これに限られるものではない。観賞者スペース６には待合通路７から新鮮空気を供給する給気口１２と、待合通路７には観賞者スペース６内部の空気を還気する還気口１３とが備えられ、給気ダクトを通じて給気口１２から観賞者スペース６へ新鮮空気を供給し、観賞者スペース６内部の空気を還気口１３を通じて待合通路７へ排出して観賞者の観賞者スペース６の空気の入れ換えを行う。出入り口８は開放するか、或いは開閉扉等を設ける。出入り口９はカーテン等仕切りを設けるのが好ましい。
【００１６】
この発明は、上記構造のオブジェクト観賞構造物のための鏡面くもり防止システムであって、
該鏡面くもり防止システムは、除湿機１４を備え、かつ、該除湿機１４の除湿空気を前記被観賞体４内に吹き出して鏡面に沿って上昇させ上方で被観賞体の背面空間に環流させる除湿空気環流システム１５と、観賞者スペース用空調装置１６を備え、かつ、該空調装置１６により観賞者スペース内の温度と湿度の制御および内部を正圧への保持を行う空調システム１７とを備え、除湿機１４と除湿空気環流システム１５により除湿空気を被観賞体の内外に環流させる作用と、空調装置１６、空調システム１７による観賞者スペースの温度と湿度の制御と、内部を正圧に保持することで前記被観賞体４の鏡面のくもりを防止し、結露を防止するものである。
【００１７】
前記オブジェクト観賞構造物の鏡面くもり防止システムは、前記被観賞体の上部もしくは頂部に設けられた上方開口２１、前記被観賞体の下部および中間部の１又は複数箇所に設けられた側部開口１８、１９を有するオブジェクト観賞構造物に用いられるもので、前記除湿空気環流システム１５は、前記側部開口１８、１９より除湿空気を吹出し、該吹き出された空気を前記上方開口２１を通じて被観賞体の背面空間に環流させ、被観賞体の鏡面のくもり、結露等を防止するものである。
【００１８】
図１及び図２の実施形態は、除湿機１４と被観賞体４の下部および中間部の１又は複数箇所に設けられた側部開口として、被観賞体４の下部と中間部の１又は複数の除湿空気吹き出し口１８、１９が設けられ、前記被観賞体の上部もしくは頂部に設けられた上方開口として、上部のオブジェクトを有する器体３と被観賞体４との間に除湿空気を排出する開口２１が設けられている。
除湿機１４は、被観賞体４の外側スペース１０に設置し、スペース１０内の空気を吸引して例えば約３３℃程度の高温の除湿空気（ドライエアー）として送り出す。
前記除湿空気環流システム１５は、除湿機１４と被観賞体４の下部と中間部の１又は複数の除湿空気吹き出し口１８、１９とをダクト２０で接続し、除湿機１４の除湿空気を吹き出し口１８、１９より上向きに例えば秒速２ｍの速度で吹き出させて被観賞体４の内面に沿って上昇させて前記開口２１を通じて被観賞体４の背面空間に排出し、被観賞体４の背面部を除湿機へ環流させるシステムである。室内の空気条件が露点に達した場合でも、除湿空気を鏡面に直接当てて被観賞体４の背面を環流させることにより除湿空気の熱が被観賞体を構成する枠等に伝わり、かつ観賞者スペースが正圧に保たれるので、被観賞体に結露を生じない。前記被観賞体の吹き出し口１８、１９は、スリットとして被観賞体４の内面の複数箇所に設けるのが好ましい。図１の万華鏡の場合は被観賞体４の鏡面が１６面で構成されその各面に約１ｍのスリットを設けて、鏡面の全面に除湿空気が確実に当たるようにしてある。前記開口２１は、１又は複数の窓孔、スリット、或いは任意の間隙等とすることもできる。
【００１９】
観賞者スペース用空調装置（空調パッケージ）１６は、空冷ヒートポンプパッケージを用いて大空間５の下部の観賞者スペースとなる５ｍ以下ゾーンの空調を行う。
空調システム１７として、前記空冷ヒートポンプパッケージ１６を建物１の内部で外側スペース１０の下部に備え、建物１の出入口８近くの外部、待合通路７、外側スペース１０の空気を導入するように外気ダクトＯＡ、還気ダクトＲＡで接続し、該空冷ヒートポンプパッケージ１６を給気ダクトＳＡで観賞者スペース６へ接続し、空冷ヒートポンプパッケージ１６からの給気を観賞者スペース６へ供給して内部の温度、湿度を制御し、かつ内部を常時正圧に保ち、出入口における待合通路７の室内温度と外気温度の差を小さくなるように調整して外気の侵入を最小限に押さえ、室内で急激な上昇気流（ドラフト）が生ずることを防ぐ。除湿機で除湿空気を吹き出すとき、空調装置で新鮮外気導入分を余剰空気として出入口８、９の開口部より流出させるので内部は常時正圧に保たれてドラフトを生じない。
なお、春秋において相対湿度が高いと結露の原因となるので、湿度の上昇を抑えるため電気ヒーター（サイリスタ方式）で再熱を行う。また、梅雨時湿度が多いと観賞者スペースで観賞者が寒さを感ずるので、電気ヒーター（サイリスタ方式）で再熱を行う。
出入り口からの外気侵入による温度、湿度の上昇を防止するため入り口付近に還気口を取り付ける。
而して、空調装置１６による空調システム１７で給気口１２を通じて観賞者スペース６へ給気して内部の温度、湿度を制御して観賞者スペースの温度、湿度の上昇を防ぎ、新鮮外気導入分を余剰空気として出入口の開口部より流出させることによって観賞者スペース内部を正圧に保ち、外気の吹き込み防止を兼ねることができる。観賞者スペースの温度、湿度の上昇を防いで、前記除湿機の作用と相俟って鏡面のくもりや結露を生じないようにする。
【００２０】
前記除湿機１４および前記空調装置１６は、前記建物１と前記被観賞体４間のスペース１０に配置されており、前記オブジェクト観賞構造物の鏡面くもり防止システムは、前記建物１と前記被観賞体４間のスペース１０を冷却するための冷却装置２２を備えている。
冷却装置２２は、建物１の内部で外側スペース１０の上部に備え、スペース１０において除湿機から発する熱が上昇して内部の空気の温度が上昇するとき、冷却装置から給気ＳＡをスペース１０内に供給して建物の内部の温度上昇を抑えるようにする。冷却装置２２で除湿機等より発生する熱を冷却し、建物１のスペース１０内で発生する熱を取り除いて上部の温度上昇を抑えて観賞者スペースとの温度差、湿度差を少なくし、前記除湿機による除湿空気の環流、下部の空調システムと相俟って鏡面のくもりや結露を生じないようにする。
【００２１】
前記オブジェクト観賞構造物は、前記オブジェクトのための採光手段、駆動手段を備えるものである。前記オブジェクト観賞構造物の鏡面くもり防止システムは、前記採光手段、駆動手段より発生する熱を取り除く空調装置２３、空調システム２４を備えている。オブジェクト観賞構造物は、採光手段、駆動手段を備えるものに限るものでなく、例えば、照明手段、映像手段等を備えたものでもよい。
【００２２】
前記建物１には、その上部に太陽熱の採光、照明手段或いは駆動手段等より建物内の頂部スペース１０で発生する熱を取り除く頂部スペース用空調装置（空調パッケージ）２３、空調システム２４を備える。２５は頂部スペース、２６は外側スペース１０との仕切壁で、できる限りエアータイトとして湿度の侵入を防ぐ。仕切壁２６と前記被観賞体４の外周との間には除湿空気を環流する開口が設けられる。
頂部スペース用空調装置２３は、空冷ヒートポンプパッケージを用いて被観賞体４の外側のスペース１０の上部に備え、頂部スペース２５の空調を行う。
空調システム２４として、空調装置２３を建物１の内部で外側スペース１０の上部に備え、建物１の上部外壁に設けた空気導入口から新鮮な空気を入れる外気ダクトＯＡと頂部スペース２５の空気を還気する還気ダクトＲＡを接続し、該空調装置２３からの給気を給気ダクトＳＡを通じて建物内の頂部スペース２５へ供給して温度、湿度制御を行う。建物１の頂部スペース２５の空気は排気ダクトＥＡを通じて外部に排出できるようにしてある。
建物１の頂部は夏季など気温の上昇に伴い屋内の温度上昇が著しく、また器体３を駆動装置で回動する場合に駆動装置から熱を生じて室内温度が上昇するのをこの空調装置２３による空調システム２４で温度を調整する。図中、２７は風量調整ダンパー、２８は逆止弁である。なお、前記観賞者スペース用空調パッケージ、頂部空調パッケージは冷温水使用の空調機等とすることもできる。
【００２３】
この発明の鏡面くもり防止システムは上記除湿機と空調装置を組み合わせることによって、その機能を発揮する。
（１）鏡面にあっては、除湿機１４による高温除湿空気の吹付。除湿空気環流システム１５による除湿空気の上昇気流方式及び被観賞体の背面の環流。
被観賞体４の大空間５の鏡面部分には除湿機１４で作られた除湿空気を鏡面下部及び中間部より吹き出し口１８、１９より上向きに吹出し、鏡面に沿って上昇させることにより、鏡表面は高温で除湿された空気が通過するためくもりをなくし、結露を生じない。又被観賞体４の上部の開口２１から背面空間に排出される除湿空気を被観賞体４の背部空間を通過させることにより、大空間表面鏡面部の結露防止に二重の効果がある。除湿機１４から送られる除湿空気は、例えば約３３℃程度の高温となるため、外側スペース１０で除湿機の発熱を除去するための冷却装置２２を必要とする。
（２）観賞者スペース６が多量の観賞者にあっては空調装置１６による除湿コントロール＋再熱方式。
多量の人員導入による観賞者スペース（空調ゾーン）６に対する空調装置１６は、空冷ヒートポンプパッケージ方式による空調運転にて温度、湿度のコントロール運転を行い、梅雨時などの低温多湿時は冷却除湿運転をベースに、電気ヒーター（サイリスタ）による再熱方式とする。待合通路７は観賞者スペース６の吹出空気を待合通路入口付近に取付けた還気口１３より戻すことにより、待合通路７の空調を行うと同時に外気温度と室内（空調）温度の差を小さくすることによりドラフトを生じにくくし、煙突現象（上昇気流）による外気の侵入を最小限にすると共に新鮮外気導入分を余剰空気として出入口の開口部より流出させることによって観賞者スペースの内部を正圧に保ち、外気の吹き込み防止を兼ねることができるため大空間の結露防止に大きく寄与する要因となる。
（３）頂部の採光を取入れる頂部スペース２５、又は駆動機械設置スペースを予め設定した温度以下になるような空調システムを組み合わせることで、頂部熱負荷を取り除くと共に大空間における上下温度差による煙突現象を防止できる。
万華鏡等を収容する建物１の頂部から採光導入し、かつ万華鏡等駆動部を備えた場合には、採光に伴う太陽熱、駆動部の動力負荷の熱を取除く空調装置２３を必要とする。頂部まで約５０ｍ近くになる建物の場合にあっては空間内温度差をできるだけ小さくすることにより、ドラフト防止を行う為にも効果的である。
なお、建物の頂部のスペース２４における発熱量が少ない場合は上部に設ける空調システムを省く場合もある。
【００２４】
図３乃至図６は別の実施形態を示すもので、図３は六角形の角錐の被観賞体を備えた観賞構造物を示す透視図、図４は球面状被観賞体を備えた観賞構造物を示す概略断面図、図５は平板状被観賞体を備えた観賞構造物を示す概略断面図、図６は曲面状被観賞体を備えた観賞構造物を示す概略断面図である。
【００２５】
図３は建物１を六角錐とし、かつ内部の被観賞体４を同じ六角錐の被観賞体４とした実施形態を示す。
この実施形態の六角錐被観賞体４は、六角錐の鏡面体で、上部に上方開口として鏡面体の上部と上部スペース間に開口２１を設け、その内部空間の下部に照明手段３０を備え、被観賞体４の下部には前記観賞者スペース６を設ける。被観賞体４の内部にはオブジェクトを備えて鏡面に表れるようにする。被観賞体４は内側に大空間５を有し、その下部に備えた照明手段３０で角錐被観賞体４の鏡面を照明してオブジェクトを表すものである。前記実施形態のように上部にオブジェクトの器体を備えて、採光により六角錐被観賞体４の鏡面に像を写すようにしてもよい。この採光による場合には、建物の天井に前記透光板を設ける。
この六角錐の建物１と被観賞体４との間のスペース１０に前期実施形態と同様に除湿機１４と、除湿機の除湿空気を前記被観賞体内に吹き出して鏡面を上昇させ上部において開口２１より背面空間に環流させる除湿空気環流システム１５と、観賞者スペース用空調装置（空調パッケージ）１６による空調システム１７を備える。観賞者スペース用空調装置１６は、建物１の内部で外側スペース１０の下部に備え、空調装置１６による空調システム１７で給気ダクトを通じて観賞者スペース６へ供給して室内の温度、湿度を制御し、かつその内部を常時正圧に保ち、出入口における待合通路７の室内温度と外気温度の差を小さくなるように調整して外気の侵入を最小限に押さえ、室内で急激な上昇気流（ドラフト）が生ずることを防ぐ。
また、外側スペース１０の上部には、頂部スペース用空調装置２３による空調システム２４を備え、建物１の上部外壁に設けた空気導入口から新鮮な給気するダクトと頂部スペース２５の空気を還気するダクトを接続し、該空調装置２３で温度、湿度を制御した空気をダクトを通じて建物内の頂部スペース２５へ供給する。
【００２６】
図４は建物１を半球型のドームとし、内部に被観賞体４として球面状被観賞体を備えた観賞構造物を示す。
球面状被観賞体４は、鏡面にオブジェクトが表れるように備え、頂部に上方開口２１’を設け、その内側の空間の下部に照明手段３０を備え、被観賞体４の下部には前記観賞者スペース６を設ける。球面状被観賞体４は、例えば、内部に前記オブジェクトを入れた鏡面体、或いはオブジェクトとして魚等を入れた水槽の鏡面体とし、照明手段３０で照明してオブジェクトを表すようにする。照明手段３０としては、光源となる照明器具を備える。
【００２７】
この球面状被観賞体４の場合、鏡面くもり防止システムは、除湿機１４と被観賞体の下部および中間部の１又は複数箇所に設けられた側部開口として、鏡面の下部及び中間部に除湿空気吹き出し口１８、１９が設けられ、前記被観賞体の頂部に設けられた上方開口として、除湿空気を背面空間に環流するための開口２１’が設けられている。
除湿空気環流システム１５は、除湿機１４を前記実施態様と同様に被観賞体４の外側のスペース１０に備え、該除湿機１４と被観賞体４の下部と中間部の吹き出し口１８、１９とをダクトで接続し、除湿機１４からの除湿空気を吹き出し口１８、１９から吹き出して被観賞体の内面に沿って上昇させて頂部の開口２１’を通じて被観賞体４の背面空間に排出し、除湿空気を被観賞体の背面部を通過させて環流させる。除湿機の除湿空気の温度は、上記温度に限定されるものではなく、水槽等対象となるものに対応させてくもり、結露を防止できる温度とする。
また、観賞者スペース用空調装置１６による空調システム１７は、前記実施形態と同様で、建物１の内部の下部に備えて観賞者スペース等の空調を行い、かつ、頂部スペース用空調装置２３による空調システム２４は上部に備えて、頂部スペースの空調を行う。
半球型の被観賞体をプラネタリュームとする場合には、内部空間の下部に映写機等映像機器を備え、映写機から映像のオブジェクトを球状鏡面に映すようにすることもできる。照明手段、映写機等から熱を生ずるも、空調システムにより制御する。
【００２８】
図５は建物１内の上部に被観賞体４として平板状被観賞体を斜めに配置した観賞構造物を示す。
平板状被観賞体４は、前記オブジェクトが表れるようにした平面状鏡面体、或いはオブジェクトとして魚等を入れた水槽の平面状鏡面体とし、上方開口として被観賞体の上部に開口２１を存し、照明手段３０で照明してオブジェクトを表すようにする。被観賞体を魚などを入れる水槽とする場合にはガラス製、合成樹脂製透光板等で、表面を通して内部が見えるようにする。水槽とする場合には、酸素等を送る装置（図示せず）等を付設する。
【００２９】
この平板状被観賞体４の場合、鏡面くもり防止システムは、除湿機１４と被観賞体の下部に設けられた側部開口として、鏡面の下部に除湿空気吹き出し口１８を臨ませ、前記被観賞体の上部に設けられた上方開口として、鏡面の上部に除湿空気を背面空間に環流するための開口２１が設けられている。側部開口は下部に設けたが、これに限るものではなく、下部の他に中間部の１又は複数箇所に設けることもできる。
除湿空気環流システム１５は、除湿機１４を前記実施態様と同様に被観賞体４の背面のスペースに備え、除湿機１４からのダクトの吹き出し口１８を被観賞体４の下部に臨ませ、除湿空気を平板状被観賞体４の内面に沿って上昇させて上部の開口２１を通じて被観賞体４の背面空間に環流させる。
また、観賞者スペース用空調装置１６による空調システム１７は、前記実施形態と同様で、建物１の内部の下部に備え、かつ、頂部スペース用空調装置２３による空調システム２４は上部に備える。
【００３０】
図６は建物１内の上部に被観賞体４として波形曲面状被観賞体を斜めに配置した観賞構造物を示す。
曲面状被観賞体４は前記オブジェクトが表れる曲面状鏡面体、或いはオブジェクトとして魚等を入れた水槽の曲面状鏡面体とし、上部の上方開口として開口２１を設け、鏡面を照明手段３０で照明してオブジェクトを表すようにする。曲面状被観賞体４は、波形曲面板としてあるが、これに限るものではない。また、水槽とする場合には前記と同様な構造とする。
【００３１】
この曲面状被観賞体４の場合、鏡面くもり防止システムは、除湿機１４と被観賞体の下部および中間部の１又は複数箇所に設けられた側部開口として、球面状被観賞体４の下部に開口１８、中間部の１又は複数の吹き出し口１９が設けられ、前記被観賞体の上部に開口２１が設けられ、除湿機１４からの除湿空気を開口１８、１９より被観賞体の内面に沿って上昇させて上部の開口２１を通じて被観賞体４の背面空間に環流させる。
空調装置２３による空調システム２４については前記実施形態と同様である。
なお、前記平板状、曲面状被観賞体を板体として、採光等によりオブジェクトの像を写す構造とすることができ、または、空間の下部に映写機等映像機器を備え、映写機から映像のオブジェクトを平板状被観賞体、曲面状被観賞体等に映すようにすることもできる。照明手段、映写機等から熱を生ずるも、空調システムにより制御する。
【００３２】
この発明は上記構成としたので、除湿機による高温の除湿空気（ドライエアー）を被観賞体の鏡面に吹き付けて全面に沿って上昇させ、鏡面の上部の開口より背面空間に環流させて被観賞体の内外の温度差を少なくし、かつ下部の観賞者スペースの温度、湿度を空調システムにより制御するとともに内部を正圧とできるので観賞者スペースに大勢の観賞者が出入りするも鏡面がくもりを生じたり、結露を生じたりすることがなく観賞者は鏡面のオブジェクトをはっきりと観賞することができる。この発明は大型のオブジェクト観賞構造物に除湿機と空調システムを導入することにより、年間を通し多量の人員導入など入場人員の変化があっても機能を発揮できる。
建物に備えた冷却装置で除湿機等より発生する熱を冷却し、建物と前記被観賞体間のスペースで発生する熱を取り除いて温度上昇を抑え、観賞者スペース等との温度差を少なくし、前記除湿機による除湿空気の環流、空調装置による空調システムと相俟って鏡面のくもりや結露を生じないようにできる。
夏季など気温の上昇にともない建物の上部の温度と下部の観賞者スペースの温度とに温度差が生じるが、空調装置と空調システムとにより、採光手段、照明手段等の熱を取り除いて建物内の鏡面の上下の温度をほぼ均等に保って、室内で急激な上昇気流が生ずることを防ぎ、鏡面のくもりや結露を生じないようにできる。
【００３３】
なお、この発明は上記実施形態に限定されるものではなく、この発明の要旨を逸脱しない範囲で、種々の形態を実施しうるものである。例えば、プラネタリュームの場合には内面に映像を映す被観賞体、水族館の場合には魚を入れた水槽の被観賞体にこの発明の鏡面くもり防止システムを適用できる。
【図面の簡単な説明】
【００３４】
【図１】この発明の鏡面くもり防止システムを備えたオブジェクト観賞構造物の概略断面図である。
【図２】図１のＸ−Ｘ断面図である。
【図３】六角形の角錐の被観賞体を備えた観賞構造物を示す透視図である。
【図４】球面状被観賞体を備えた観賞構造物を示す概略断面図である。
【図５】平板状被観賞体を備えた観賞構造物を示す概略断面図である。
【図６】曲面状被観賞体を備えた観賞構造物を示す概略断面図である。
【符号の説明】
【００３５】
１  建物
３  オブジェクトの器体
４  被観賞体
５  空間
６  観賞者スペース
７  待合通路
１４  除湿機
１５  除湿空気環流システム
１６  観賞者スペース用空調装置
１７  空調システム
１８  鏡面下部の吹き出し口
１９  鏡面中間の吹き出し口
２１  開口
２１’  開口
２２  冷却装置
２３  空調装置
２４  空調システム
３０  照明手段
Ａ  オブジェクト
【図１】
2006317051.tif 000003
【図２】
2006317051.tif 000004
【図３】
2006317051.tif 000005
【図４】
2006317051.tif 000006
【図５】
2006317051.tif 000007
【図６】
2006317051.tif 000008